(57)【特許請求の範囲】
【請求項１】
フレームに回転自在に支承されているクランクシャフトと；
コネクティングロッドメタルを介して前記クランクシャフトに装着され、前記クランクから下側に延伸し、前記クランクシャフトの回転によって上下方向に移動し、下部に下方向に開口した雌ねじ部を備えたコネクティングロッドと；
上側に雄ねじ部を備え、この雄ねじ部が前記コネクティングロッドの雌ねじ部に螺合しているスライド調整ネジと；
前記コネクティングロッドの雌ねじ部の底部と前記スライド調整ネジの雄ねじ部の先端部との間に形成さている油室と；
前記コネクティングロッドメタルへ供給された潤滑油のうちの余った潤滑油を溜めるために、前記コネクティングロッドメタルが設けられている前記コネクティングロッドの部位に設けられた油溜り部と；
前記油溜まり部と前記油室とを互いにつなぐために、前記コネクティングロッドの内部に設けられた流入穴と；
前記油室と前記コネクティングロッドの外部とを互いにつなぐために、前記油室の下部近傍で前記コネクティングロッドの内部に設けられた排出穴と；
を有することを特徴とするプレス機械におけるスライド調節ネジの給油装置。
【請求項２】
プレス機械におけるクランクシャフトに係合したコネクティングロッドメタルを備えたコネクティングロッドを上下移動自在に設け、前記コネクティングロッドメタルへ給油した潤滑油を溜める油溜り部と、この油溜り部に連通した流入穴と、この流入穴に連通した油室とを前記コネクティングロッドの内部に設け、前記コネクティングロッドに螺合したスライド調節ネジを潤滑した油を排出する排出穴を前記油室の下部近傍のコネクティングロッド内部に設けてなることを特徴とするプレス機械におけるスライド調節ネジの給油装置。
【請求項３】
前記油溜り部は、コネクティングロッドに堰を設けると共にコネクティングロッドメタルの下側外周面に油通路を設けて構成されていることを特徴とする請求項２記載のプレス機械におけるスライド調節ネジの給油装置。
【請求項４】
前記油溜り部は、コネクティングロッドとクランクシャフトとの間にオイルシールを装着すると共にコネクティングロッドメタルの下側外周面に油通路を設けて構成されていることを特徴とする請求項２記載のプレス機械におけるスライド調節ネジの給油装置。
【請求項５】
前記油溜め部は、コネクティングロッドメタルの内周面側にリング状の溝を形成し、前記溝と前記流入穴とを連通して構成されていることを特徴とする請求項２記載のプレス機械におけるスライド調節ネジの給油装置。
【請求項６】
前記油溜り部は、コネクティングロッドメタルの下部に段付穴あるいは貫通穴を形成し、前記段付穴あるいは貫通穴と前記流入穴とを連通して構成されていることを特徴とする請求項２記載のプレス機械におけるスライド調節ネジの給油装置。
【発明の詳細な説明】
【０００１】
【発明の属する技術分野】
この発明は、プレス機械におけるスライド調節ネジの給油方法およびその装置に関する。
【０００２】
【従来の技術】
従来、プレス機械におけるスライド調節ネジへの給油手段としては、手指しによる給油と自動給油による２つの給油手段が採用されている。
【０００３】
手指しによる給油手段としては、図１０を参照するに、プレス機械１０１は、フレーム１０３にブッシュ１０５を介してクランクシャフト１０７が回転自在に支承されている。このクランクシャフト１０７にコネクティングロッドメタル１０９を介してコネクティングロッド１１１が係合し、コネクティングロッド１１１は上下移動自在となり、このコネクティングロッド１１１にスライド調節ネジ１１３が螺合している。そして、スライド調節ネジ１１３に形成した球面部１１５に球面軸受１１７，１１９を介してスライド１２１が設けられている。
【０００４】
前記スライド調節ネジ１１３への給油手段としては、コネクティングロッド１１１にオイルカップ１２３を設けて図１０の図中に２点鎖線で囲んだ×部へ潤滑油を供給している。
【０００５】
自動給油による給油手段としては、図１１および図１２を参照するに、図１１には給油系統を示していてオイルタンク１２５を上にオイルポンプ１２７が設けられ、このオイルポンプ１２７の吐出側管路１２９に分配器１３１が設けられれ、分配器１３１より各給油部へ潤滑油が供給される。より詳細には、給油部としては、前記クランクシャフト１０７のブッシュ１０５、各ギブ１３３、前記コネクティングロッドメタル１０９等へ給油されると共に、スライド調節ネジ１１３に給油される。
【０００６】
前記スライド調節ネジ１１３への給油は、図１２に示されているごとく、前述した手指しによる給油手段に設けたオイルカップ１２３の位置に管接手１３５を接続し、この管接手１３５にフレキシブルホース１３７が連結されて自動給油が行なわれる。
【０００７】
【発明が解決しようとする課題】
ところで、上述した従来のプレス機械におけるスライド調節ネジ１１３への手指しによる給油手段では、スライド調節ネジ１１３への給油を怠るとスライド調節ネジ１１３が焼付き、スライド調節ができなくなるため、プレス機械１０１として重要な給油箇所の一つである。しかし、定期的に給油しなければならず面倒であり、機種が大きくなるとオイルカップ１２３の位置が高くなり、給油に時間がかかると共に危険を伴なうという問題があった。
【０００８】
また、自動給油による給油手段では、給油箇所が１ケ所増加するたびコストアップとなり、揺動連動をするコネクティングロッド１１１への配管のためフレキシブルホース１３７の耐久性に問題がある。更に、プレス機械１０１の正面にフレキシブルホース１３７が見えるため見苦しいという問題があった。
【０００９】
この発明の目的は、コネクティングロッドメタルへの給油を利用してスライド調節ネジの潤滑を行ない、作業性の向上とコストの低減を図ったプレス機械におけるスライド調節ネジの給油方法およびその装置を提供することにある。
【００１０】
【課題を解決するための手段】
請求項１に記載の発明は、フレームに回転自在に支承されているクランクシャフトと、コネクティングロッドメタルを介して前記クランクシャフトに装着され、前記クランクから下側に延伸し、前記クランクシャフトの回転によって上下方向に移動し、下部に下方向に開口した雌ねじ部を備えたコネクティングロッドと、上側に雄ねじ部を備え、この雄ねじ部が前記コネクティングロッドの雌ねじ部に螺合しているスライド調整ネジと、前記コネクティングロッドの雌ねじ部の底部と前記スライド調整ネジの雄ねじ部の先端部との間に形成さている油室と、前記コネクティングロッドメタルへ供給された潤滑油のうちの余った潤滑油を溜めるために、前記コネクティングロッドメタルが設けられている前記コネクティングロッドの部位に設けられた油溜り部と、前記油溜まり部と前記油室とを互いにつなぐために、前記コネクティングロッドの内部に設けられた流入穴と、前記油室と前記コネクティングロッドの外部とを互いにつなぐために、前記油室の下部近傍で前記コネクティングロッドの内部に設けられた排出穴とを有するプレス機械におけるスライド調節ネジの給油装置である。
【００１１】
請求項２に記載の発明は、プレス機械におけるクランクシャフトに係合したコネクティングロッドメタルを備えたコネクティングロッドを上下移動自在に設け、前記コネクティングロッドメタルへ給油した潤滑油を溜める油溜り部と、この油溜り部に連通した流入穴と、この流入穴に連通した油室とを前記コネクティングロッドの内部に設け、前記コネクティングロッドに螺合したスライド調節ネジを潤滑した油を排出する排出穴を前記油室の下部近傍のコネクティングロッド内部に設けてなるプレス機械におけるスライド調節ネジの給油装置である。
【００１２】
したがって、請求項１，２によるプレス機械におけるスライド調節ネジの給油方法およびその装置とすることにより、スライド調節ネジへの給油配管をすることなく、コネクティングロッドメタルへの給油を利用してスライド調節ネジへの潤滑が可能となる。而して、作業性の向上とコストの低減を図ることができる。
【００１３】
更に、請求項３によるこの発明のプレス機械におけるスライド調節ネジの給油装置は、請求項２のプレス機械におけるスライド調節ネジの給油装置において、前記油溜り部は、コネクティングロッドに堰を設けると共にコネクティングロッドメタルの下側外周面に油通路を設けて構成されていることを特徴とするものである。
【００１４】
したがって、コネクティングロッドメタルへ給油された潤滑油は堰により溜められ、充分な給油量が保持されるものである。
【００１５】
なお、更に、請求項４によるこの発明のプレス機械におけるスライド調節ネジの給油装置は、請求項２のプレス機械におけるスライド調節ネジの給油装置において、前記油溜り部は、コネクティングロッドとクランクシャフトとの間にオイルシールを装着すると共にコネクティングロッドメタルの下側外周面に油通路を設けて構成されていることを特徴とするものである。
【００１６】
したがって、コネクティングロッドメタルへ給油された潤滑油は外部へあふれて流出することがないので充分な供給量が確保できるものである。
【００１７】
なお更に、請求項５によるこの発明のプレス機械におけるスライド調節ネジの給油装置は、請求項２のプレス機械におけるスライド調節ネジの給油装置において、前記油溜り部は、コネクティングロッドメタルの内周面側にリング状の溝を形成し、前記溝と前記流入穴とを連通して構成されていることを特徴とするものである。
【００１８】
また、請求項６によるこの発明のプレス回におけるスライド調節ネジの給油装置は、請求項２のプレス機械におけるスライド調節ネジの給油装置において、前記油溜り部は、コネクティングロッドメタルの下部に段付穴あるいは貫通穴を形成し、前記段付穴あるいは貫通穴と前記流入穴とを連通して構成されていることを特徴とするものである。
【００１９】
したがって、上述した請求項５，６とすることにより、充分な油溜り部を形成することにより潤滑油の量を保持することができる。
【００２０】
【発明の実施の形態】
以下、この発明の実施の形態の例を図面に基づいて詳細に説明する。
【００２１】
まず、理解を容易とするためプレス機械の全体的構成について概略的に説明する。
【００２２】
図９を参照するに、プレス機械１のフレーム３の上部には、スライドガイド５Ａ，５Ｂに沿って上下動するスライド７が設けられている。このスライド７とクランクシャフト９との間にはコネクティングロッド１１が連結され、前記クランクシャフト９の一端は歯車構成１３を介して図示省略の駆動装置に連動連結されている。
【００２３】
前記スライド７の下面には上型（図示せず）を備えた上部サブプレート１５が着脱自在に密着され、また、前記フレーム３の下部にはベッド１７が一体的に取付けられており、このベッド１７上には、下型（図示せず）を備えた下部サブプレート１９を着脱可能に装着するボルスタ２１が載置されている。
【００２４】
上記構成により、駆動装置を駆動せしめ歯車機構１３をクランクシャフト９を回転せしめる。
クランクシャフト９が回転することにより、クランクシャフト９に係合したコネクティングロッド１１が上下方向に移動され、コネクティングロッド１１に連結されたスライド７が上下動して、このスライド７に装着した上部サブプレート１５に備えた上型と、下部サブプレート１９に備えた下型との協働によりワークに所望の加工が施される。
【００２５】
次に、この発明の実施の形態の例としての主要部であるスライド調節ネジの給油手段について詳細説明する。
【００２６】
図１，図２および図３を参照するに、プレス機械１を構成するフレーム３にブッシュ２３を介してクランクシャフト９が回転自在に支承されていて、このクランクシャフト９にコネクティングロッド１１とコネクティングロッドキャップ１１Ａとが一体的となり、コネクティングロッドメタル２５を介して装着されている。
【００２７】
前記コネクティングロッドメタル２５へ給油する手段としては、図３に示されているごとく、図示を省略したが潤滑油給油装置よりフレキシブルホース２７を介して供給路２９を通ってコネクティングロッドメタル２５とクランクシャフト９との摺接面へ潤滑油は供給される。
【００２８】
前記コネクティングロッド１１の下部にはネジ部３１が形成され、このネジ部３１にスライド調節ネジ３３に形成したネジ部３５が螺合されている。そして、前記コネクティングロッド１１に形成したネジ部３１の上方には油室３７が形成されていて、この油室３７へ潤滑油が流入する流入穴３９と、油室３７内の潤滑油を排出するため、油室３７の下部近傍に排出穴４１が設けられている。なお、前記流入穴３９は前記コネクティングロッドメタル２５の下側外周面に設けた油通路４３と連通している。なお更に、コネクティングロッドメタル２５の両側には油溜り部４５を形成するため堰４７がコネクティングロッド１１とコネクティングロッドキャップ１１Ａに設けられている。前記スライド調節ネジ３３の下部は図示を省略したがスライド７に連結されている。
【００２９】
上記構成により、スライド調節ネジ３３に形成したネジ部３５へ潤滑油を供給する潤滑油経路として、図２の図中に矢印で示されているごとく、コネクティングロッドメタル２５へ給油された潤滑油は、コネクティングロッドメタル２５の内周面を潤滑し、余った潤滑油は両側より堰４７にて形成された油溜り部４５に溜められる。
【００３０】
油溜り部４５に溜った潤滑油は油通路４３を通り流入穴３９よ油室３７内へ流入し、油室３７内へ流入した潤滑油はスライド調節ネジ３３に形成したネジ部３５を潤滑し、一定量給油され余った潤滑油は排出穴４１より機外へ排出される。
【００３１】
したがって、スライド調節ネジ３３への供給配管をすることなく、コネクティングロッドメタル２５への給油を利用してスライド調節ネジ３３の潤滑が可能となり、作業性の向上とコストの低減を図ることができる。
【００３２】
図４には、前記油溜り部４５を構成する機構の他の実施の形態の例を示している。すなわち、油溜り部４５は、コネクティングロッド１１およびコネクティングロッドキャップ１１Ａと、クランクシャフト９との間にオイルシール４９を装着して構成したものである。
【００３３】
したがって、コネクティングロッドメタル２５へ給油された潤滑油はオイルシール４９により外部へあふれ流出することがないので、充分な供給量が確保できるものである。
【００３４】
また、図５には前記油溜り部４５を構成する他の実施の形態の例を示している。すなわち、油溜り部４５は、コネクティングロッドメタル２５の内周面側にリング状の溝５１を形成し、前記油通路４３は設けないで、溝５１と前記流入穴３９とを連通して構成した。
【００３５】
したがって、リング状の溝５１を設けたことにより、充分な油溜り部４５ができて潤滑油の量を保持することがきる。
【００３６】
更に、図６に前記は油溜り部４５を構成する他の実施の形態の例を示している。すなわち、油溜り部４５は、コネクティングロッドメタル２５の下部に段付穴５３を形成し、前記油通路４３を設けないで、段付穴５３と前記流入穴３９とを連通して構成した。
【００３７】
なお更に、図７には前記油溜り部４５を構成する他の実施の形態の例を示している。すなわち、油溜り部４５は、コネクティングロッドメタル２５の下部に貫通穴５５を形成し、前記油通路４３を設けないで、貫通穴５５と前記流入穴３９とを連通して構成した。
【００３８】
なお更に、図８には前記油溜り部４５を構成するロッドメタル２５の下部に大径の貫通穴５７を形成し、前記油通路４３を設けないで、貫通穴５７と前記流入穴３９とを連通して構成した。
【００３９】
したがって、図６，図７，図８に示された、段付穴５３，貫通穴５５，大径の貫通穴５７を形成し油溜り部４５としたことにより、充分な潤滑油の量を保持することができる。
【００４０】
なお、この発明は前述た発明の実施の形態の例に限定されることなく、適宜な変更を行なうことにより、その他の態様で実施し得るものである。
【００４１】
【発明の効果】
以上のごとき実施の形態の説明より理解されるように、請求項１，２によるこの発明によれば、スライド調節ネジへの給油配管をすることなく、コネクティングロッドメタルへの給油を利用して油溜め部へ潤滑油を溜め、この潤滑油をスライド調節ネジへ供給する。而して、作業性の向上とコストの低減を図ることができる。
【００４２】
また、請求項３によるこの発明によれば、油溜り部は、コネクティングロッドに設けた堰にて潤滑油は溜められるので、充分な供給量が保持することができる。
【００４３】
更に、請求項４によるこの発明によれば、コネクティングロッドメタルへ給油された潤滑油はオイルシールにより外部へあふれて流出することがないので、充分な供給量が確保できる。
【００４４】
なお更に、請求項５，６によるこの発明によれば、油溜り部としてコネクティングロッドメタルの下部に段付穴あるいは貫通穴を形成したので、充分な潤滑油の量を保持することができる。
【図面の簡単な説明】
【図１】この発明の主要部を示し、図９におけるＩ−Ｉ線に沿った拡大断面図である。
【図２】図１における潤滑油の流れを示す作用説明図である。
【図３】コネクティングロッドメタルへの給油手段を示す説明図である。
【図４】油溜り部の他の実施の形態の例を示す断面説明図である。
【図５】油溜り部の他の実施の形態の例を示す断面説明図である。
【図６】油溜り部の他の実施の形態の例を示す断面説明図である。
【図７】油溜り部の他の実施の形態の例を示す断面説明図である。
【図８】油溜り部の他の実施の形態の例を示す断面説明図である。
【図９】この発明を実施する一実施の形態の例であるプレス機械の正面図である。
【図１０】従来例を示し、スライド調節ネジへの給油手段として、手指しによる給油手段を示した断面説明図である。
【図１１】従来例を示し、スライド調節ネジへの給油手段として、自動給油により潤滑油系統の説明図である。
【図１２】従来例を示し、スライド調節ネジへの給油手段として、自動給油手段を示した正面説明図である。
【符号の説明】
１  プレス機械
９  クランクシャフト
１１  コネクティングロッド
２５  コネクティングロッドメタル
３３  スライド調節ネジ
３５  ネジ部
３７  油室
３９  流入穴
４１  排出穴
４３  油通路
４５  油溜り部
４７，４７Ａ  堰
４９  オイルシール
５１  溝
５３  段付穴
５５，５７  貫通穴
【図１】
0003813257.tif 000002
【図２】
0003813257.tif 000003
【図３】
0003813257.tif 000004
【図４】
0003813257.tif 000005
【図５】
0003813257.tif 000006
【図６】
0003813257.tif 000007
【図７】
0003813257.tif 000008
【図８】
0003813257.tif 000009
【図９】
0003813257.tif 000010
【図１０】
0003813257.tif 000011
【図１１】
0003813257.tif 000012
【図１２】
0003813257.tif 000013